(57)【特許請求の範囲】
【請求項１】
複数台の空調ユニット（２０ａ〜２０ｄ）を段積みすることによって空調モジュール（１０）を構成するための段積み用架台において、
前記複数台の空調ユニットのそれぞれの上部側に配置されて前記複数台の空調ユニットのそれぞれに取り付けられる上枠部材（５２）と、
前記複数台の空調ユニットのうち上段側の空調ユニットが取り付けられた状態の上段側の前記上枠部材を下側から支持する脚部材（５６）を有しており、前記複数台の空調ユニットのうち下段側の空調ユニットが取り付けられた状態の下段側の前記上枠部材を下側に取り付けることが可能な下枠部材（５５）と、
を備え、
前記上枠部材と前記脚部材とは、前記上枠部材が取り付けられた状態の前記上段側の空調ユニットを上側から吊り下げることで前記下段側の空調ユニットとともに吊り下げることが可能な状態で取り付けられる、
段積み用架台（５０）。
【請求項２】
前記上枠部材（５２）と前記脚部材（５６）との取り付け部分を補強するための補強部材（５８）をさらに備えている、
請求項１に記載の段積み用架台（５０）。
【請求項３】
前記補強部材（５８）は、前記上枠部材（５２）及び前記脚部材（５６）との取り付け状態を解除することなく、前記上枠部材及び前記脚部材から取り外すことができるように、前記上枠部材及び前記脚部材に取り付けられている、
請求項２に記載の段積み用架台（５０）。
【請求項４】
前記補強部材（５８）は、前記空調ユニット（２０ａ〜２０ｄ）が前記上枠部材に取り付けられる前から前記上枠部材（５２）に取り付けられている、
請求項２又は３に記載の段積み用架台（５０）。
【請求項５】
前記空調ユニット（２０ａ〜２０ｄ）は、天井吊り下げ設置用の吊り金具（４５ａ〜４５ｄ）を有する天井吊り下げ型空調ユニットであり、
前記空調ユニットは、前記上枠部材（５２）から下方に向かって延びる吊りボルト（５９）及び前記吊り金具によって前記上枠部材に取り付けられている、
請求項１〜４のいずれか１項に記載の段積み用架台（５０）。
【発明の詳細な説明】
【技術分野】
【０００１】
本発明は、段積み用架台、特に、複数台の空調ユニットを段積みすることによって空調モジュールを構成するための段積み用架台に関する。
【背景技術】
【０００２】
従来より、複数台の空調ユニットを段積みすることによって空調モジュールを構成することがある。このような空調モジュールとして、特許文献１、２（特開昭５８−１３６９６０号公報、特開平９−１４５２３１号公報）に示すように、下段側の空調ユニットの上に上段側の空調ユニットを積み上げることによって複数台の空調ユニットを段積みした構成がある。また、特許文献３（特開２０１１−２４１９９６号公報）に示すように、ガイドレールが上下方向に複数段設けられた枠体に空調ユニットをスライド設置することによって複数台の空調ユニットを段積みした構成がある。
【発明の概要】
【発明が解決しようとする課題】
【０００３】
しかし、上記従来の空調ユニットの段積み構成では、現地で段積み作業を行う際に、複数の空調ユニットを所定段に設置するために、空調ユニットを段数に応じた回数だけ持ち上げる作業が必要になる。このため、空調ユニットの段積み作業に手間がかかる。
【０００４】
本発明の課題は、複数台の空調ユニットを段積みすることによって空調モジュールを構成するにあたり、現地における空調ユニットの段積み作業を容易に行えるようにすることにある。
【課題を解決するための手段】
【０００５】
第１の観点にかかる段積み用架台は、複数台の空調ユニットを段積みすることによって空調モジュールを構成するための段積み用架台であり、上枠部材と下枠部材とを有している。上枠部材は、複数台の空調ユニットのそれぞれの上部側に配置されて複数台の空調ユニットのそれぞれに取り付けられる部材である。下枠部材は、複数台の空調ユニットのうち上段側の空調ユニットが取り付けられた状態の上段側の上枠部材を下側から支持する脚部材を有している。そして、下枠部材は、複数台の空調ユニットのうち下段側の空調ユニットが取り付けられた状態の下段側の上枠部材を下側に取り付けることが可能な部材である。ここで、上枠部材と脚部材とは、上枠部材が取り付けられた状態の上段側の空調ユニットを上側から吊り下げることで下段側の空調ユニットとともに吊り下げることが可能な状態で取り付けられる。
【０００６】
この段積み用架台によれば、以下のような手順によって、空調ユニットの段積みを行って、空調モジュールを構成することができる。まず、複数台の空調ユニットのそれぞれの上部側に上枠部材を取り付ける。次に、上枠部材が取り付けられた状態の上段側の空調ユニットを上側から玉掛けによって吊り下げて、上枠部材に下枠部材を下側から取り付ける。次に、上枠部材及び下枠部材が取り付けられた状態の上段側の空調ユニットを吊り下げたままで、上段側の下枠部材に下段側の空調ユニットが取り付けられた状態の下段側の上枠部材を取り付ける。その後、上枠部材及び下枠部材が取り付けられた上段側の空調ユニットを上側から玉掛けによって吊り下げた状態にしたままで、下枠部材、及び、上枠部材が取り付けられた下段側の空調ユニットを下側に取り付ける作業を所定段になるまで繰り返す。このように、この段積み用架台によれば、複数台の空調ユニットのうち最上段側の空調ユニットを上側から玉掛けによって吊り下げるだけで、すなわち、空調ユニットを持ち上げる作業を１回行うだけで、複数台の空調ユニットの段積みを行うことができる。
【０００７】
これにより、この段積み用架台によれば、従来の段積み構成とは異なり、空調ユニットを段数に応じて何度も持ち上げる作業を行わずに済むため、現地における空調ユニットの段積み作業を容易に行うことができる。
【０００８】
第２の観点にかかる段積み用架台は、第１の観点にかかる段積み用架台において、上枠部材と脚部材との取り付け部分を補強するための補強部材をさらに有している。
【０００９】
この段積み用架台によれば、上枠部材と脚部材との取り付け部分が補強部材によって補強されているため、段積み用架台の強度を向上させることができる。
【００１０】
第３の観点にかかる段積み用架台は、第２の観点にかかる段積み用架台において、補強部材が、上枠部材及び脚部材との取り付け状態を解除することなく、上枠部材及び脚部材から取り外すことができるように、上枠部材及び脚部材に取り付けられている。
【００１１】
この段積み用架台では、必要に応じて、補強部材を容易に取り外すことができるため、空調ユニットのメンテナンス等の作業性を損なうことなく、段積み用架台の強度を向上させることができる。
【００１２】
第４の観点にかかる段積み用架台は、第２又は第３の観点にかかる段積み用架台において、補強部材が、空調ユニットが上枠部材に取り付けられる前から上枠部材に取り付けられている。
【００１３】
この段積み用架台によれば、段積み作業の際に、複数台の空調ユニットのそれぞれの上部側に、補強部材が予め取り付けられた状態の上枠部材を取り付けることができるため、段積み作業の作業性を向上させることができる。
【００１４】
第５の観点にかかる段積み用架台は、第１〜第４の観点のいずれかにかかる段積み用架台において、空調ユニットが、天井吊り下げ設置用の吊り金具を有する天井吊り下げ型空調ユニットである。そして、空調ユニットは、上枠部材から下方に向かって延びる吊りボルト及び吊り金具によって上枠部材に取り付けられている。
【００１５】
この段積み用架台によれば、吊り金具という天井吊り下げ型空調ユニットに特有の部品を利用して、空調ユニットに上枠部材を取り付けるようにしているため、空調ユニットを段積みした構成の空調モジュールを容易に実現することができる。
【発明の効果】
【００１６】
以上の説明に述べたように、本発明によれば、以下の効果が得られる。
【００１７】
第１の観点にかかる段積み用架台では、従来の段積み構成とは異なり、空調ユニットを段数に応じて何度も持ち上げる作業を行わずに済むため、現地における空調ユニットの段積み作業を容易に行うことができる。
【００１８】
第２の観点にかかる段積み用架台では、段積み用架台の強度を向上させることができる。
【００１９】
第３の観点にかかる段積み用架台では、空調ユニットのメンテナンス等の作業性を損なうことなく、段積み用架台の強度を向上させることができる。
【００２０】
第４の観点にかかる段積み用架台では、段積み作業の作業性を向上させることができる。
【００２１】
第５の観点にかかる段積み用架台では、空調ユニットを段積みした構成の空調モジュールを容易に実現することができる。
【図面の簡単な説明】
【００２２】
【図１】本発明の一実施形態にかかる段積み用架台を使用して複数台の外気処理ユニットを段積みすることによって構成された外気処理モジュールを含む外気処理システムの概略構成図である。
【図２】本発明の一実施形態にかかる段積み用架台を使用して複数台の外気処理ユニットを段積みすることによって構成された外気処理モジュールの前面図である。
【図３】本発明の一実施形態にかかる段積み用架台を使用して複数台の外気処理ユニットを段積みすることによって構成された外気処理モジュールの上面図である。
【図４】外気処理モジュールの１段分を示す分解斜視図である。
【図５】補強部材を含む上枠部材の分解斜視図である。
【図６】下枠部材の分解斜視図である。
【図７】図２の外気処理モジュールの最上段付近を拡大して示した図である。
【図８】上枠部材だけが取り付けられた状態の外気処理ユニットの一部を拡大して示した図である。
【図９】外気処理ユニットの段積み作業の手順を説明した図である。
【図１０】外気処理ユニットの段積み作業の手順を説明した図である。
【図１１】外気処理ユニットの段積み作業の手順を説明した図である。
【図１２】外気処理ユニットの段積み作業の手順を説明した図である。
【図１３】外気処理ユニットの段積み作業の手順を説明した図である。
【図１４】外気処理ユニットの段積み作業の手順を説明した図である。
【図１５】外気処理ユニットの段積み作業の手順を説明した図である。
【図１６】外気処理ユニットの段積み作業の手順を説明した図である。
【図１７】外気処理ユニットの段積み作業の手順を説明した図である。
【図１８】外気処理ユニットの段積み作業の手順を説明した図である。
【図１９】外気処理ユニットの段積み作業の手順を説明した図である。
【図２０】外気処理ユニットの段積み作業の手順を説明した図である。
【図２１】外気処理ユニットの段積み作業の手順を説明した図である。
【図２２】外気処理ユニットの段積み作業の手順を説明した図である。
【図２３】外気処理ユニットの段積み作業の手順を説明した図である。
【発明を実施するための形態】
【００２３】
以下、本発明にかかる段積み用架台を使用して複数台の外気処理ユニットを段積みすることによって構成された外気処理モジュールを含む外気処理システムの実施形態について、図面に基づいて説明する。尚、本発明にかかる段積み用架台の具体的な構成は、下記の実施形態に限られるものではなく、発明の要旨を逸脱しない範囲で変更可能である。また、以下の説明では、空調ユニットの一例としての天井吊り下げ型の外気処理ユニットを段積みして外気処理モジュールを構成する場合に本発明を適用している。しかし、これに限定されるものではなく、天井吊り下げ型のダクト式空調ユニットの段積み等、他の空調ユニットを段積みして空調モジュールを構成する場合にも適用可能である。
【００２４】
（１）外気処理システムの全体構成
図１は、本発明の一実施形態にかかる段積み用架台５０を使用して複数台（ここでは、４台）の外気処理ユニット２０ａ〜２０ｄを段積みすることによって構成された外気処理モジュール１０を含む外気処理システム１の概略構成図である。尚、外気処理ユニット２０ａ〜２０ｂは、いずれも同じ機器構成を有しているが、図１においては、外気処理ユニット２０ａだけを詳細に図示し、外気処理ユニット２０ｂ〜２０ｄの図示を簡略化している。
【００２５】
外気処理システム１は、室外空気（ＯＡ）を利用して建物の居室内における室内空気（ＲＡ）の湿度が目標湿度になるように除湿運転や加湿運転を行う空調システムである。外気処理システム１は、主として、外気処理モジュール１０と、ＯＡ用集合ダクト２と、ＲＡ用集合ダクト３と、ＥＡ用集合ダクト４と、ＳＡ用集合ダクト５とを有している。
【００２６】
外気処理モジュール１０は、複数台（ここでは、４台）の外気処理ユニット２０ａ〜２０ｄが接続されることによって構成された外気処理ユニットの集合体であり、建物の機械室等に床置き設置されている。外気処理モジュール１０は、居室等に設けられたリモートコントローラ６にリモコン通信線７を介して接続されている。そして、外気処理モジュール１０は、リモートコントローラ６からの指令に基づいて、外気処理ユニット２０ａ〜２０ｄがすべて一体のものとして、除湿運転や加湿運転の動作を行うようになっている。これにより、外気処理システム１は、小容量の外気処理ユニット２０ａ〜２０ｄを複数台接続することによって大容量の外気処理システムを構成している。
【００２７】
ＯＡ用集合ダクト２は、室外空気（ＯＡ）を外気処理モジュール１０に導入するためのダクトである。ＲＡ用集合ダクト３は、室内空気（ＲＡ）を外気処理モジュール１０に導入するためのダクトである。ＥＡ用集合ダクト４は、外気処理モジュール１０からの排出空気（ＥＡ）を室外に排出するためのダクトである。ＳＡ用集合ダクト５は、外気処理モジュール１０からの供給空気（ＳＡ）を居室内に給気するためのダクトである。
【００２８】
（２）外気処理モジュール及び外気処理ユニット
次に、外気処理モジュール１０、及び、外気処理モジュール１０を構成する外気処理ユニット２０ａ〜２０ｄについて、図１〜図２３を用いて説明する。ここで、図２は、外気処理モジュール１０の前面図である。図３は、外気処理モジュール１０の上面図である。図４は、外気処理モジュール１０の１段分（ここでは、下から３段目に配置される外気処理ユニット２０ｃ及びその付近）を示す分解斜視図である。図５は、補強部材５８を含む上枠部材５２の分解斜視図である。図６は、下枠部材５７の分解斜視図である。図７は、図２の外気処理モジュール１０の最上段付近を拡大して示した図である。図８は、上枠部材５２だけが取り付けられた状態の外気処理ユニット２０ａ〜２０ｄの一部を拡大して示した図である。図９〜図２３は、外気処理ユニット２０ａ〜２０ｄの段積み作業の手順を説明した図である。尚、以下の説明で使用する「前」、「背又は後」、「上」、「下」、「左」、「右」は、特にことわりのない限り、図２の紙面手前側（ここでは、電装品箱４４ａ〜４４ｃが設けられた側）を「前」とし、紙面奥側を「背又は後」とする。そして、「上」、「下」、「左」、「右」は、外気処理モジュール１０を図２の紙面手前側から見た状態を基準とする。
【００２９】
外気処理モジュール１０は、主として、複数台（ここでは、４台）の外気処理ユニット２０ａ〜２０ｄと、段積み用架台５０とを有している。
【００３０】
＜外気処理ユニット＞
外気処理ユニット２０ａ〜２０ｄは、天井吊り下げ型の外気処理ユニットである。外気処理ユニット２０ａ〜２０ｄは、それぞれ、表面に吸着材が設けられた複数の吸着熱交換器を用いて、空気中の水分の吸着及び脱離を行うことにより、除湿運転や加湿運転を行うことが可能なユニットである。また、外気処理ユニット２０ａ〜２０ｄは、室外空気（ＯＡ）を取り込んで供給空気（ＳＡ）として室内に供給すると同時に、室内空気（ＲＡ）を取り込んで排出空気（ＥＡ）として室外に排出することが可能なユニットである。尚、以下の外気処理ユニット２０ａ〜２０ｄの内部構成の説明では、外気処理ユニット２０ａの内部構成について詳細に説明し、外気処理ユニット２０ｂ〜２０ｄの内部構成については、添字［ａ］を「ｂ」〜「ｄ」に読み替えることで説明を省略する。また、以下の外気処理ユニット２０ａ〜２０ｄの外観構成の説明では、外気処理ユニット２０ｃの外観構成について説明し、外気処理ユニット２０ａ、２０ｂ、２０ｄの外観構成については、添字［ｃ］を「ａ」、「ｂ」、「ｄ」に読み替えることで説明を省略する。
【００３１】
−外気処理ユニットの内部構成−
外気処理ユニット２０ａの冷媒回路は、主として、冷媒を圧縮する圧縮機２１ａと、表面に吸着材が設けられた第１及び第２吸着熱交換器２２ａ、２３ａと、膨張弁２４ａと、四路切換弁２５ａとが接続されることによって構成されている。膨張弁２４ａは、第１吸着熱交換器２２ａの一端と第２吸着熱交換器２３ａの一端との間に接続されている。四路切換弁２５ａは、第１吸着熱交換器２２ａの他端（すなわち、反膨張弁側端）、第２吸着熱交換器２３ａの他端（すなわち、反膨張弁側端）、圧縮機２１ａの吸入側及び圧縮機２１ａの吐出側に接続されている。
【００３２】
四路切換弁２５ａは、圧縮機２１ａから吐出された冷媒を第１吸着熱交換器２２ａ、膨張弁２４ａ、第２吸着熱交換器２３ａの順に循環させる第１切換状態と、圧縮機２１ａから吐出された冷媒を第２吸着熱交換器２２ａ、膨張弁２４ａ、第１吸着熱交換器２２ａの順に循環させる第２切換状態とに切り換え可能である。具体的には、四路切換弁２５ａは、圧縮機２１ａの吐出側に接続される第１ポート２６ａと、圧縮機２１ａの吸入側に接続される第２ポート２７ａと、第１吸着熱交換器２２ａの他端に接続される第３ポート２８ａと、第２吸着熱交換器２３ａの他端に接続される第４ポート２９ａとを有している。そして、第１切換状態とは、第１ポート２６ａと第３ポート２８ａが連通しかつ第２ポート２７ａと第４ポート２８ａとが連通する状態（図１の四路切換弁２５ａにおける実線を参照）を意味している。また、第２切換状態とは、第１ポート２６ａと第４ポート２９ａが連通しかつ第２ポート２７ａと第３ポート２８ａとが連通する状態（図１の四路切換弁２５ａにおける破線を参照）を意味している。
【００３３】
第１吸着熱交換器２２ａ及び第２吸着熱交換器２３ａは、例えば、クロスフィン式のフィン・アンド・チューブ型熱交換器によって構成されており、多数のフィン及び伝熱管の外表面に、吸着材がディップ成形（浸漬成形）によって担持されている。この吸着材としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが挙げられる。
【００３４】
以上のような外気処理ユニット２０ａの冷媒回路において、四路切換弁２５ａが第１切換状態に切り換わると、第１吸着熱交換器２２ａが凝縮器として機能し、第２吸着熱交換器２３ａが蒸発器として機能する。一方、四路切換弁２５ａが第２切換状態に切り換わると、第１吸着熱交換器２２ａが蒸発器として機能し、第２吸着熱交換器２３ａが凝縮器として機能する。
【００３５】
また、外気処理ユニット２０ａは、室外空気（ＯＡ）をユニット内に吸入するための第１吸気口３２ａと、室内空気（ＲＡ）をユニット内に吸入するための第２吸気口３３ａと、ユニット内から室外に排出空気（ＥＡ）を排出するための排気口３４ａと、ユニット内から居室内に吹き出される供給空気（ＳＡ）を供給するための給気口３５ａとを有している。第１吸気口３２ａは、ＯＡ用分岐ダクト２ａを介してＯＡ用集合ダクト２に接続されている。第２吸気口３３ａは、ＲＡ用分岐ダクト３ａを介してＲＡ用集合ダクト３に接続されている。排気口３４ａは、ＥＡ用分岐ダクト４ａを介してＥＡ用集合ダクト４に接続されている。給気口３５ａは、ＳＡ用分岐ダクト５ａを介してＳＡ用集合ダクト５に接続されている。また、外気処理ユニット２０ａは、排気口３４ａに連通するようにユニット内に配置された排気ファン３０ａと、給気口３５ａに連通するようにユニット内に配置された給気ファン３１ａと、ユニット内の空気流路を切り換えるためのダンパ等からなる切換機構（図示せず）とを有している。
【００３６】
さらに、外気処理ユニット２０ａは、圧縮機２１ａ、膨張弁２４ａ、四路切換弁２５ａ、ファン３０ａ、３１ａ、及び、切換機構（図示せず）等の各部の動作を制御するユニット制御部３６ａを有している。そして、ユニット制御部３６ａは、マイクロコンピュータやメモリ等を有しており、リモートコントローラ６や他の外気処理ユニット２０ｂ〜２０ｄのユニット制御部３６ｂ〜３６ｄとの間で通信可能になっている。
【００３７】
−外気処理ユニットの外観構成−
外気処理ユニット２０ｃは、上記の冷媒回路を構成する機器のすべてが格納されたユニットからなる、いわゆる熱源一体型の外気処理ユニットであり、水平方向に扁平な矩形箱状のユニットケーシング３７ｃを有している。
【００３８】
ユニットケーシング３７ｃには、背側に背板３８ｃが形成され、前側に前板３９ｃが形成されている。また、ユニットケーシング３７ｃには、左側に左板４０ｃが形成されており、右側に右板４１ｃが形成されている。また、ユニットケーシング３７ｃには、上側に天板４２ｃが形成され、下側に底板４３ｃが形成されている。背板３８ｃの左部には、第１吸気口３２ｃが形成され、背板３８ｃの右部には、第２吸気口３３ｃが形成されている。一方、左板４０ｃの前部には、排気口３４ｃが形成され、右板４１ｃの前部には、給気口３５ｃが形成されている。前板３９ｃには、電装品箱４４ｃが設けられている。電装品箱４４ｃは、ユニット制御部３６ｃを構成するマイクロコンピュータやメモリ等が実装された基板を収容している。また、ユニットケーシング３７ｃには、天井吊り下げ設置用の吊り金具４５ｃが設けられている。吊り金具４５ｃは、外気処理ユニット３７ｃの平面視における４つの角部（ここでは、背板３８ｃ及び前板３９ｃの左側端部及び右側端部）に設けられている。吊り金具４５ｃには、吊りボルトを挿通させるための長穴４６ｃが形成されている。
【００３９】
−外気処理ユニットの基本動作−
外気処理ユニット２０ａ〜２０ｄは、それぞれ、以下のような除湿運転や加湿運転を行うことができるようになっている。ここでは、例として、外気処理ユニット２０ａを挙げて説明し、外気処理ユニット２０ｂ〜２０ｄの基本動作については、添字［ａ］を「ｂ」〜「ｄ」に読み替えることで説明を省略する。
【００４０】
除湿運転時の第１動作においては、冷媒回路を、四路切換弁２５ａを第２切換状態（図１の四路切換弁２５ａの破線、及び、図１中の破線で示された矢印を参照）とし、第１吸着熱交換器２２ａを蒸発器として機能させる一方、第２吸着熱交換器２３ａを凝縮器として機能させる。また、第２動作においては、冷媒回路を、四路切換弁２５ａを第１切換状態（図１の四路切換弁２５ａの実線、及び、図１中の実線で示された矢印を参照）とし、第１吸着熱交換器２２ａを凝縮器として機能させる一方、第２吸着熱交換器２３ａを蒸発器として機能させる。
【００４１】
そして、排気ファン３０ａ及び給気ファン３１ａが起動すると、第１空気としての室外空気（ＯＡ）が第１吸気口３２ａからユニットケーシング３７ａ内に取り込まれ、第２空気としての室内空気（ＲＡ）が第２吸気口３３ａからユニットケーシング３７ａ内に取り込まれる。
【００４２】
次に、除湿運転の第１動作について説明する。尚、除湿運転の第１動作では、ダンパ等からなる切換機構（図示せず）の操作によって、室外空気（ＯＡ）が、第１吸着熱交換器２２ａを通過する。ここで、蒸発器として機能する第１吸着熱交換器２２ａの吸着材によって、この空気中の水分が吸着される。尚、この際に生じる吸着熱は、第１吸着熱交換器２２ａ内の冷媒の蒸発熱として利用される。このようにして、第１吸着熱交換器２２ａで減湿された空気は、給気口３５ａから供給空気（ＳＡ）として居室内に供給される。一方、室内空気（ＲＡ）は、第２吸着熱交換器２３ａを通過する。ここで、凝縮器として機能する第２吸着熱交換器２３ａの吸着材が加熱され、吸着材に吸着された水分が脱離されると、この水分が空気に付与されるとともに第２吸着熱交換器２３ａの吸着材が再生される。このようにして、第２吸着熱交換器２３ａの吸着材の再生に利用された空気は、排気口３４ａから排出空気（ＥＡ）として室外へ排出される。
【００４３】
次に、除湿運転の第２動作について説明する。尚、除湿運転の第２動作では、ダンパ等からなる切換機構（図示せず）の操作によって、室外空気（ＯＡ）が、第２吸着熱交換器２３ａを通過する。ここで、蒸発器として機能する第２吸着熱交換器２３ａの吸着材によって、この空気中の水分が吸着される。尚、この際に生じる吸着熱は、第２吸着熱交換器２３ａ内の冷媒の蒸発熱として利用される。このようにして、第２吸着熱交換器２３ａで減湿された空気は、給気口３５ａから供給空気（ＳＡ）として居室内に供給される。一方、室内空気（ＲＡ）は、第１吸着熱交換器２２ａを通過する。ここで、凝縮器として機能する第１吸着熱交換器２２ａの吸着材が加熱され、吸着材に吸着された水分が脱離されると、この水分が空気に付与されるとともに第１吸着熱交換器２２ａの吸着材が再生される。このようにして、第１吸着熱交換器２２ａの吸着材の再生に利用された空気は、排気口３４ａから排出空気（ＥＡ）として室外へ排出される。
【００４４】
加湿運転の第１動作においては、冷媒回路を、四路切換弁２５ａを第１切換状態（図１の四路切換弁２５ａの実線、及び、図１中の実線で示された矢印を参照）とし、第１吸着熱交換器２２ａを凝縮器として機能させる一方、第２吸着熱交換器２３ａを蒸発器として機能させる。また、第２動作においては、冷媒回路を、四路切換弁２５ａを第２切換状態（図１の四路切換弁２５ａの破線、及び、図１中の破線で示された矢印を参照）とし、第１吸着熱交換器２２ａを蒸発器として機能させる一方、第２吸着熱交換器２３ａを凝縮器として機能させる。
【００４５】
そして、排気ファン３０ａ及び給気ファン３０ｂが起動すると、第１空気としての室外空気（ＯＡ）が第１吸気口３２ａからユニットケーシング３７ａ内に取り込まれ、第２空気としての室内空気（ＲＡ）が第２吸気口３３ａからユニットケーシング３７ａ内に取り込まれる。
【００４６】
次に、加湿運転の第１動作について説明する。尚、加湿運転の第１動作では、ダンパ等からなる切換機構（図示せず）の操作によって、室外空気（ＯＡ）が、第１吸着熱交換器２２ａを通過する。ここで、凝縮器として機能する第１吸着熱交換器２２ａの吸着材が加熱され、吸着材に吸着された水分が脱離されると、この水分が空気に付与される。このようにして、第１吸着熱交換器２２ａで加湿された空気は、給気口３５ａから供給空気（ＳＡ）として居室内へ供給される。一方、室内空気（ＲＡ）は、第２吸着熱交換器２３ａを通過する。ここで、蒸発器として機能する第２吸着熱交換器２３ａの吸着材によって、この空気中の水分が吸着される。尚、この際に生じる吸着熱は、第２吸着熱交換器２３ａ内の冷媒の蒸発熱として利用される。このようにして、第２吸着熱交換器２３ａの吸着材に水分を付与した空気は、排気口３４ａから排出空気（ＥＡ）として室外へ排出される。
【００４７】
次に、加湿運転時の第２動作について説明する。尚、加湿運転の第２動作では、ダンパ等からなる切換機構（図示せず）の操作によって、室外空気（ＯＡ）が、第２吸着熱交換器２３ａを通過する。ここで、凝縮器として機能する第２吸着熱交換器２３ａの吸着材が加熱され、吸着材に吸着された水分が脱離されると、この水分が空気に付与される。このようにして、第２吸着熱交換器２３ａで加湿された空気は、給気口３５ａから供給空気（ＳＡ）として居室内へ供給される。一方、室内空気（ＲＡ）は、第１吸着熱交換器２２ａを通過する。ここで、蒸発器として機能する第１吸着熱交換器２２ａの吸着材によって、この空気中の水分が吸着される。尚、この際に生じる吸着熱は、第１吸着熱交換器２２ａ内の冷媒の蒸発熱として利用される。このようにして、第１吸着熱交換器２２ａの吸着材に水分を付与した空気は、排気口３４ａから排出空気（ＥＡ）として室外へ排出される。
【００４８】
＜段積み用架台の構成＞
段積み用架台５０は、複数台（ここでは、４台）の外気処理ユニット２０ａ〜２０ｄを段積みすることによって外気処理モジュール１０を構成するための架台であり、主として、上下方向に複数段（ここでは、４段）配置された枠部材５１を有している。枠部材５１は、主として、上枠部材５２と下枠部材５５とを有している。
【００４９】
上枠部材５２は、複数台（ここでは、４台）の外気処理ユニット２０ａ〜２０ｄのそれぞれの上部側に配置されて、外気処理ユニット２０ａ〜２０ｄに取り付けられる部材である。上枠部材５２は、主として、外気処理ユニット２０ａ〜２０ｄの天板４２ａ〜４２ｄの周縁の４辺に沿って延びる左右上枠部材５３及び前背上枠部材５４を有している。
【００５０】
左右上枠部材５３は、外気処理ユニット２０ａ〜２０ｄの天板４２ａ〜４２ｄの左辺及び右辺に沿って延びる細長い板状部材である。左右上枠部材５３の前端部及び背端部には、ビス穴５３ａが形成されており、下枠部材５５の脚部材５６の上端部がビス７１によって固定されている。また、左右上枠部材５３には、ビス穴５３ａよりも前後方向中央寄りの位置に、ビス穴５３ｂが形成されており、前背上枠部材５４の左端部及び右端部がビス７２によって固定されている。また、左右上枠部材５３には、ビス穴５３ｂよりも前後方向中央寄りの位置に、ビス穴５３ｃが形成されており、上段側の下枠部材５５がビス（図示せず）によって固定されている。
【００５１】
前背上枠部材５４は、外気処理ユニット２０ａ〜２０ｄの天板４２ａ〜４２ｄの前辺及び背辺に沿って延びる細長い板状部材である。前背上枠部材５４には、左右上枠部材５３のビス穴５３ｂに対応する位置に、ビス穴５４ａが形成されており、左右上枠部材５３の前端部及び背端部がビス７２によって固定されている。また、前背上枠部材５４の左端部及び右端部には、前側及び背側を向くように、ビス穴５４ｂが形成されており、下枠部材５５の脚部材５６の上端部がビス７３によって固定されている。また、前背上枠部材５４には、外気処理ユニット２０ａ〜２０ｄの吊り金具４５ａ〜４５ｄの長穴４６ａ〜４６ｄに対応する位置に、吊りボルト５９及び下方支持ボルト６２（後述）を挿通させる挿通穴５４ｃが形成されている。また、前背上枠部材５４には、ビス穴５４ｂよりも左右方向中央寄りの位置に、ビス穴５４ｄが形成されており、補強部材５８（後述）がビス７４によって固定されている。
【００５２】
下枠部材５５は、外気処理ユニット２０ａ〜２０ｄが取り付けられた状態の上枠部材５２を下側から支持する脚部材５６を有する部材である。そして、下枠部材５５は、複数台（ここでは、４台）の外気処理ユニット２０ａ〜２０ｄのうち下段側の外気処理ユニットが取り付けられた状態の下段側の上枠部材５２を下側に取り付けることが可能な部材である。下枠部材５５は、主として、脚部材５６と、前後方向に並んだ脚部材５６同士を連結する脚連結部材５７とを有している。
【００５３】
脚部材５６は、外気処理ユニット２０ａ〜２０ｄの平面視における４つの角部に沿って上下方向に延びる細長い板状部材である。脚部材５６の上端部及び下端部には、左右上枠部材５３のビス穴５３ａに対応する位置に、ビス穴５６ａが形成されており、左右上枠部材５３の前端部及び背端部がビス７５によって固定されている。また、脚部材５６の上端部には、前背上枠部材５４のビス穴５４ｂに対応する位置に、ビス穴５６ｂが形成されており、前背上枠部材５４の左端部及び右端部がビス７３によって固定されている。また、脚部材５６の下端部には、前側及び背側を向くように、ビス穴５６ｃが形成されており、脚連結部材５７の前端部及び背端部がビス７６によって固定されている。また、脚部材５６には、ビス穴５６ｂよりも下側の位置に、ビス穴５６ｄが形成されており、補強部材５８（後述）がビス７７によって固定されている。
【００５４】
脚連結部材５７は、外気処理ユニット２０ａ〜２０ｄの底板４３ａ〜４３ｄの左辺及び右辺に沿って延びる細長い板状部材である。脚連結部材５７の前端部及び背端部には、脚部材５６のビス穴５６ｃに対応する位置に、ビス穴５７ａが形成されており、脚部材５６の下端部がビス７６によって固定されている。また、脚連結部材５７の前端部及び背端部には、左右上枠部材５３のビス穴５３ｂ及び前背上枠部材５４のビス穴５４ａに対応する位置に、ビス７２の頭部が挿通可能な挿通穴５７ｂが形成されている。また、脚連結部材５７には、左右上枠部材５３のビス穴５３ｃに対応する位置に、ビス穴５７ｃが形成されており、下段側の上枠部材５５がビス（図示せず）によって固定されている。
【００５５】
また、枠部材５１は、上枠部材５２と脚部材５６との取り付け部分を補強するための補強部材５８をさらに有している。補強部材５８は、外気処理ユニット２０ａ〜２０ｄの前面視及び背面視における上側の角部付近に配置される板状部材である。ここでは、補強部材５８は、略直角三角形状を有しており、外気処理ユニット２０ａ〜２０ｄの前面視及び背面視における上側の角部に重なるように配置されている。また、補強部材５８は、外気処理ユニット２０ａ〜２０ｄが上枠部材５２に取り付けられる前から上枠部材５２に取り付けられている。補強部材５８には、左右上枠部材５４のビス穴５４ｄに対応する位置に、ビス穴５８ａが形成されており、左右上枠部材５４がビス７４によって固定されている。また、補強部材５８には、脚部材５６のビス穴５５ｄに対応する位置に、ビス穴５８ｂが形成されており、脚部材５６がビス７７によって固定されている。また、補強部材５８には、左右上枠部材５４のビス穴５４ｂ及び脚部材５６のビス穴５６ｂに対応する位置に、ビス７３が挿通可能なＵ字形状の切り欠き５８ｃが形成されている。この切り欠き５８ｃによって、補強部材５８は、上枠部材５２と脚部材５６とを固定するビス７３を取り外すことなく、ビス７４及びビス７７を取り外すことによって、上枠部材５２及び脚部材５６から取り外すことができるようになっている。すなわち、補強部材５８は、上枠部材５２及び脚部材５６との取り付け状態を解除することなく、上枠部材５２及び脚部材５６から取り外すことができるように、上枠部材５２及び脚部材５６に取り付けられている。
【００５６】
そして、外気処理ユニット２０ａ〜２０ｄは、上枠部材５２から下方に向かって延びる吊りボルト５９及び吊り金具４５ａ〜４５ｄによって上枠部材５２に取り付けられている。具体的には、左右上枠部材５４の挿通穴５４ｃ（ここでは、左右方向中央寄りの挿通穴５４ｃ）、及び、吊り金具４５ａ〜４５ｄの長穴４６ａ〜４６ｄの左右方向中央寄りの部分に吊りボルト５９を挿通し、吊り金具４５ａ〜４５ｄの長穴４６ａ〜４６ｄに対応する長穴が形成されたワッシャ６０によって、左右上枠部材５４の挿通穴５４ｃ付近の部分、及び、吊り金具４５ａ〜４５ｄを挟み込んだ状態でナット６１が締め付けられている。このように、段積み用架台５０は、各枠部材５１から下方に向かって延びる吊りボルト５９を吊り金具４５ａ〜４５ｃに固定することによって、天井吊り下げ型の外気処理ユニット２０ａ〜２０ｄを枠部材５１から吊り下げるように取り付けた状態で段積みしている。
【００５７】
また、段積み用架台５０は、枠部材５１から上方に向かって延びる下方支持部材としての下方支持ボルト６２を吊り金具４５ｂ〜４５ｄに固定することによって、天井吊り下げ型の外気処理ユニット２０ａ〜２０ｄを下方から支持している。ここで、下方支持ボルト６２は、吊りボルト５９とは通しボルトであり、吊りボルト５９とともに、吊り金具４５ｂ〜４５ｄの長穴４６ｂ〜４６ｄを挿通した状態で吊り金具４５ｂ〜４５ｄに固定されている。具体的には、左右上枠部材５４の挿通穴５４ｃ（ここでは、左右方向端部寄りの挿通穴５４ｃ）、及び、上段側の吊り金具４５ｂ〜４５ｄの長穴４６ｂ〜４６ｄの左右方向端部寄りの部分に下方支持ボルト６２を挿通し、吊り金具４５ａ〜４５ｄの長穴４６ａ〜４６ｄに対応する長穴が形成されたワッシャ６０によって、左右上枠部材５４の挿通穴５４ｃ付近の部分、及び、吊り金具４５ａ〜４５ｄを挟み込んだ状態でナット６１が締め付けられている。
【００５８】
＜外気処理ユニットの段積み作業＞
上記の段積み用架台５０によれば、以下のような手順によって、外気処理ユニット２０ａ〜２０ｄの段積みを行って、外気処理モジュール１０を構成することができる。
【００５９】
まず、図９に示すように、複数（ここでは、４台）の外気処理ユニット２０ａ〜２０ｄのそれぞれの上部側に上枠部材５２を取り付ける。ここで、上枠部材５２は、外気処理ユニット２０ａ〜２０ｄの上部側に配置されており、また、吊りボルト５９及び吊り金具４５ａ〜４５ｄによって外気処理ユニット２０ａ〜２０ｄに固定されるようになっているため、外気処理ユニット２０ａ〜２０ｄを床面に置いた状態で上枠部材５２を取り付けることができる。尚、上枠部材５２には、補強部材５８が予め取り付けられている。
【００６０】
次に、図１０及び図１１に示すように、上枠部材５２が取り付けられた状態の上段側の外気処理ユニット（ここでは、最上段の外気処理ユニット２０ｄ）を上側から玉掛けによって吊り下げて、上枠部材５２及び補強部材５８に下枠部材５５を下側からビス止めによって取り付ける。このとき、下枠部材５５を床面に置き、上枠部材５２が取り付けられた状態の外気処理ユニット２０ｄの吊り下げ高さを下げることによって、上枠部材５２を下枠部材５５の上に容易に載置することができる。
【００６１】
次に、図１２及び図１３に示すように、上枠部材５２及び下枠部材５５が取り付けられた状態の上段側の外気処理ユニット（ここでは、最上段の外気処理ユニット２０ｄ）を吊り下げたままで、上段側の下枠部材５５に下段側の外気処理ユニット（ここでは、下から３段目の外気処理ユニット２０ｃ）が取り付けられた状態の下段側の上枠部材５２をビス止めによって取り付ける。このとき、上枠部材５２が取り付けられた状態の下段側の外気処理ユニット２０ｃを床面に置き、上枠部材５２及び下枠部材５５が取り付けられた状態の上段側の外気処理ユニット２０ｄの吊り下げ高さを下げることによって、上段側の下枠部材５５を下段側の上枠部材５２の上に容易に載置することができる。ここで、上段側の下枠部材５５には、図４及び図６に示すように、下段側の上枠部材５２のビス７２の頭部が挿通可能な挿通穴５７ｂが形成されているため、ビス７２の頭部が挿通穴５７ｂを挿通した状態で、上段側の下枠部材５５が下段側の上枠部材５２の上に容易に載置されることになる。そして、下方支持ボルト６２及び吊り金具４５ｄによって、上段側の外気処理ユニット２０ｄを下方から支持する。尚、ここでは、下方支持ボルト６２及び吊り金具４５ｄによって上段側の外気処理ユニット２０ｄを支持する作業を、各段の外気処理ユニットを段積みする際に行っているが、これに限定されるものではない。例えば、吊りボルト５９及び吊り金具４５ａ〜４５ｄによって、上枠部材５２を外気処理ユニット２０ａ〜２０ｄに固定する作業だけを行い、すべての外気処理ユニット２０ａ〜２０ｄの段積み作業が完了した後に、下方支持ボルト６２及び吊り金具４５ｂ〜４５ｄによって、上段側の外気処理ユニット２０ｂ〜２０ｄを下方から支持するようにしてもよい。
【００６２】
次に、図１４及び図１５に示すように、上枠部材５２及び下枠部材５５が取り付けられた状態の上段側の外気処理ユニット（ここでは、最上段及び下から３段目の外気処理ユニット２０ｃ、２０ｄ）を吊り下げたままで、上枠部材５２及び補強部材５８に下枠部材５５を下側からビス止めによって取り付ける。このとき、下枠部材５５を床面に置き、上枠部材５２及び下枠部材５５が取り付けられた状態の上段側の外気処理ユニット２０ｃ、２０ｄの吊り下げ高さを下げることによって、上枠部材５２を下枠部材５５の上に容易に載置することができる。
【００６３】
その後、図１６〜図２３に示すように、図１２〜図１５に示す手順と同様にして、上枠部材５２及び下枠部材５５が取り付けられた上段側の外気処理ユニット２０ｃ、２０ｄを上側から玉掛けによって吊り下げた状態にしたままで、下枠部材５５、及び、上枠部材５２が取り付けられた下段側の外気処理ユニット２０ａ、２０ｂを下側に取り付ける作業を所定段（ここでは、４段）になるまで繰り返す。
【００６４】
このように、段積み用架台５０によれば、複数台（ここでは、４台）の外気処理ユニット２０ａ〜２０ｄのうち最上段側の外気処理ユニット２０ｄを上側から玉掛けによって吊り下げるだけで、すなわち、外気処理ユニットを持ち上げる作業を１回行うだけで、複数台の外気処理ユニット２０ａ〜２０ｄの段積みを行うことができる。
【００６５】
（３）外気処理システムの運転動作
上記のように構成された外気処理モジュール１０を有する外気処理システム１では、リモートコントローラ６からの指令によって、すべての外気処理ユニット２０ａ〜２０ｄにおいて、上記の除湿運転や加湿運転の基本動作が行われる。これにより、小容量の外気処理ユニット２０ａ〜２０ｄを複数台接続することによって大容量化が実現されている。
【００６６】
（４）段積み用架台及び外気処理モジュールの特徴
本実施形態の段積み用架台５０及び段積み用架台５０を使用して構成された外気処理モジュール１０には、以下のような特徴がある。
【００６７】
＜Ａ＞
本実施形態の段積み用架台５０によれば、従来の段積み構成とは異なり、空調ユニットとしての外気処理ユニット２０ａ〜２０ｄを段数に応じて何度も持ち上げる作業を行わずに済むため、現地における外気処理ユニット２０ａ〜２０ｄの段積み作業を容易に行うことができる。
【００６８】
＜Ｂ＞
本実施形態の段積み用架台５０によれば、上枠部材５２と脚部材５６との取り付け部分が補強部材５８によって補強されているため、段積み用架台５０の強度を向上させることができる。
【００６９】
＜Ｃ＞
本実施形態の段積み用架台５０によれば、図５、図７及び図８に示すように、必要に応じて、補強部材５８を容易に取り外すことができるため、外気処理ユニット２０ａ〜２０ｄのメンテナンス等の作業性を損なうことなく、段積み用架台５０の強度を向上させることができる。
【００７０】
＜Ｄ＞
本実施形態の段積み用架台５０によれば、段積み作業の際に、複数台（ここでは、４台）の外気処理ユニット２０ａ〜２０ｄのそれぞれの上部側に、補強部材５８が予め取り付けられた状態の上枠部材５２を取り付けることができるため、段積み作業の作業性を向上させることができる。
【００７１】
＜Ｅ＞
本実施形態の段積み用架台５０によれば、吊り金具４５ａ〜４５ｄという天井吊り下げ型の外気処理ユニット２０ａ〜２０ｄに特有の部品を利用して、外気処理ユニット２０ａ〜２０ｄに上枠部材５２を取り付けるようにしている。すなわち、本実施形態の外気処理モジュール１０では、天井吊り下げ型の外気処理ユニット２０ａ〜２０ｄを、枠部材５１から吊り下げるように取り付けた状態で段積みしている。このため、天井吊り下げ型の外気処理ユニット２０ａ〜２０ｄを段積みした構成の外気処理モジュール１０を容易に実現することができる。
【００７２】
＜Ｆ＞
本実施形態の外気処理モジュール１０では、各枠部材５１から上方に向かって延びる下方支持部材としての下方支持ボルト６２を吊り金具４５ｂ〜４５ｄに固定することによって、天井吊り下げ型の外気処理ユニット２０ｂ〜２０ｄを下方からも支持している。
【００７３】
このため、本実施形態の外気処理モジュール１０では、地震の際に、天井吊り下げ型の外気処理ユニット２０ａ〜２０ｄが振れ回ることを抑えて、吊り金具４５ｂ〜４５ｄや吊りボルト５９が変形することを抑えることができる。
【００７４】
また、下方支持部材としては、吊り金具４５ｂ〜４５ｄとの固定に使用される部材であれば、下方支持ボルト６２以外の部材でもよいが、下方支持ボルト６２は、吊りボルト５９と同様な作業で吊り金具４５ｂ〜４５ｄに固定することができるため、吊り金具４５ｂ〜４５ｄへの固定作業を容易に行うことができるという利点がある。また、吊り金具４５ｂ〜４５ｄの長穴４６ｂ〜４６ｄを利用して、吊りボルト５９及び下方支持ボルト６２の両方を近傍に並べて配置することになるため、下方支持ボルト６２の固定作業を忘れるおそれが少なくなり、吊り金具４５ｂ〜４５ｄへの固定作業の作業性が向上する。
【００７５】
さらに、本実施形態の空調モジュール１０では、吊りボルト５９及び下方支持ボルト６２が、上枠部材５２から延びているため、下方支持ボルト６２の固定作業を忘れるおそれが少なくなり、吊り金具４５ｂ〜４５ｄへの固定作業の作業性が向上する。
【産業上の利用可能性】
【００７６】
本発明は、複数台の空調ユニットを段積みすることによって空調モジュールを構成するための段積み用架台に対して、広く適用可能である。
【符号の説明】
【００７７】
１０            外気処理モジュール（空調モジュール）
２０ａ〜２０ｄ  外気処理ユニット（空調ユニット）
４５ａ〜４５ｄ  吊り金具
５０            段積み用架台
５２            上枠部材
５５            下枠部材
５６            脚部材
５８            補強部材
５９            吊りボルト
【先行技術文献】
【特許文献】
【００７８】
【特許文献１】特開昭５８−１３６９６０号公報
【特許文献２】特開平９−１４５２３１号公報
【特許文献３】特開２０１１−２４１９９６号公報
【図１】
0005792082.tif 000002
【図２】
0005792082.tif 000003
【図３】
0005792082.tif 000004
【図４】
0005792082.tif 000005
【図５】
0005792082.tif 000006
【図６】
0005792082.tif 000007
【図７】
0005792082.tif 000008
【図８】
0005792082.tif 000009
【図９】
0005792082.tif 000010
【図１０】
0005792082.tif 000011
【図１１】
0005792082.tif 000012
【図１２】
0005792082.tif 000013
【図１３】
0005792082.tif 000014
【図１４】
0005792082.tif 000015
【図１５】
0005792082.tif 000016
【図１６】
0005792082.tif 000017
【図１７】
0005792082.tif 000018
【図１８】
0005792082.tif 000019
【図１９】
0005792082.tif 000020
【図２０】
0005792082.tif 000021
【図２１】
0005792082.tif 000022
【図２２】
0005792082.tif 000023
【図２３】
0005792082.tif 000024